(57)【要約】【課題】  遊技場におけるメダルを用いた遊技機の交換作業において、遊技機の設置台上での前後移動操作のみで遊技機とメダル補給路との接続のＯＮ／ＯＦＦが自動的に行えるようにするとともに、所定位置に設置された遊技機を遊技者等によって勝手に動かされないようにする固定手段が遊技機を傷つけることなく、又勝手に操作させ難くして遊技機の無断移動によるメダルの盗難とメダルの補給不良をなくす。【解決手段】  遊技機Ｐの設置位置を規制する位置規制枠体３と、同位置規制枠体の後方でメダル補給路２とその先端の補給ノズル２１とを支持する支持構造体４と、設置位置にある遊技機Ｐの背面による加圧で補給ノズル２１を常時の略水平から下向きに変更する補給ノズルの支持構造と、設置された遊技機Ｐの天井面に対し制動パットＰＡを上下動して圧接できる遊技機を固定する固定手段Ｆを有する。【選択図】図２８
2019115574.tif 000002
【特許請求の範囲】
【請求項１】
設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のケーシングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のケーシングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備えた遊技機のメダル補給路との接続構造に於いて、
前記固定手段は設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する構造である、遊技機のメダル補給路との接続構造。
【請求項２】
前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、請求項１記載の遊技機のメダル補給路との接続構造。
【請求項３】
前記固定構造体が、設置された遊技機へメダルを補給するメダル補給路とその先端の補給ノズルとを保持し且つ設置された遊技機の後方で設置台に固設されたメダル補給路の前記支持構造体であり、又前記取付部は同支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、請求項１記載の遊技機のメダル補給路との接続構造。
【請求項４】
前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、請求項１〜３いずれか記載の遊技機のメダル補給路との接続構造。
【請求項５】
前記制動パットが、左右に長い剛性ある取付板の上方に前記ねじ軸を貫通させるねじ孔を設け且つ同ねじ孔によって前記ねじ軸の下端の下端拡巾部を係止して取付板を吊止する門型係止部を設け、又同取付板の下面にゴム層を摩擦面として接合した構造であり、前記昇降機構は取付部の取付部位の水平張出面に螺合された下端拡巾部を有する複数のねじ軸と，制動パットの複数の前記門型係止部と，ねじ軸の軸頭の操作部とから構成される、請求項４記載の遊技機のメダル補給路との接続構造。
【発明の詳細な説明】
【技術分野】
【０００１】
本発明は、メダル・パチンコ球・コインあるいはその他の遊技可能とする移動性が高い小物の作動媒体（明細書・特許請求の範囲においてメダルと総称する）を使用して遊技する設置台上に置かれた遊技機と、メダルを搬送するメダル供給ラインから遊技機内部のメダルホッパーへ補給する補給路との接続構造であって、設置した遊技機を新しい遊技機に交換する際の補給路の接続変更作業を不要とする技術に関する。遊技場における多数の遊技機へのメダル補給する構造として有用な技術である。
【背景技術】
【０００２】
従来の遊技場の島Ｓの設置台上に列設された多数の遊技機Ｐへのメダル補給は、図１，２，３，３４，３５に示すように島Ｓの巾方向の中央の上方位置にメダルを搬送する共通の供給ライン１を設け、列設した遊技機Ｐのケーシングの背面に補給口ＰＯを開口し、供給ライン１のメダルを取り込んで各遊技機Ｐ内に送る補給路を設け、補給路の先端部は剛性がある補給ノズル２１となっていて遊技機Ｐの背面の補給口ＰＯを介してその内部のメダルホッパーへのメダル落下位置まで延びている。補給ノズル２１の取付基端部から少し上方から供給ライン１までの分岐部分は管がフレキシブルとなって、補給ノズル２１の位置及び向きを変更可能としている。補給ノズル２１は補給口ＰＯから遊技機Ｐ内部へ挿入して所定の下向きの姿勢に調整された後、補給ノズル２１の上方位置に取付けたノズル固定板１００をビス・ネジ等で遊技機の背面に固定して補給ノズルを保持している。そして、遊技機Ｐは定期的・不定期的に交換される。この遊技機Ｐの交換作業の際に遊技機の背面からノズル固定板１００のビス・ネジ等を取り外してから補給ノズル２１を遊技機Ｐの背面の補給口ＰＯから引出した後に遊技機Ｐを設置台ＳＴから取り除き、新しい遊技機Ｐを設置台ＳＴ上の所定位置に設置後、補給ノズル２１を新しい遊技機Ｐの背面ＰＢの補給口ＰＯへ下向きに挿入し、前記ノズル固定板１００を補給口ＰＯ近くの遊技機のケーシングの背面にビス・ネジ等に固定していた。
【０００３】
上記の遊技機の交換作業は、図３４，３５で示すように設置台中央での交換される前に設置されている遊技機の背面からノズル固定板１００のネジ取り外し作業及び交換する新しい遊技機の背面にノズル固定板１００のネジ取付けの作業があるため、きわめて手間・時間のかかる作業となっていた。
この欠点を避けるため、実際現場では設置されている遊技機をノズル固定板を取付けたまま設置台から少し前方に引出した後遊技機を少し回転させて遊技機の背面を斜めにし、島間の通路側から作業者が斜めにした背面と隣の貸機との間の隙間から手を伸ばしてフレキシブル補給部２３をラッパ状の拡径補給部２２から引き抜き、その後ノズル固定板を取付けたまま遊技機を設置台前方に引出して台車にのせて島から排出させ、排出された遊技機からノズル固定板を取り外していた。又、交換する新しい遊技機に対しては、遊技機の背面に前もってノズル固定板をネジで取付ける。その後、設置台に載せて後方へ少し移動させた位置で新しい遊技機を少し回転させ、その背面を斜めとし、斜めの背面に取付けているノズル固定板のラッパ状の拡径補給部に蛇腹状のフレキシブル補給部２３の先端部分を挿入させ、その後新しい遊技機の姿勢を戻して設置台に対して直角となるように後方へ移動させて、設置位置で遊技機を設置台に固定させる手順で作業を行っていた。
この手順の交換作業にしても、ノズル固定板を遊技機の背面にネジ取付け作業及びネジ取り外し作業が必要で、やはり手間・時間がかかっていた。又、遊技機を少し回転してのフレキシブル補給部２３の挿入・引抜きの作業が必要であり、まだ交換作業が容易に迅速にできていなかった。
このように、従来の上記の交換作業では遊技機Ｐの交換の作業は設置していた遊技機Ｐの設置台ＳＴ上からの排除作業、新しい遊技機Ｐの設置台ＳＴ上への設置移動作業を必要とすることの他に、ノズル固定板１００のビス・ネジ等の取り外しの作業、補給ノズル２１の遊技機Ｐの背面の補給口ＰＯからの引出し作業、及び補給ノズル２１の補給口ＰＯへの挿入作業あるいは拡径補給部２２からのフレキシブル補給部２３の先端部分の引き抜き作業又は挿入作業、補給ノズル２１のノズル固定板１００を遊技機Ｐの背面ＰＢにビス・ネジによる止着する止着作業を必要として、遊技機Ｐの交換作業は手間時間のかかる作業であった。しかも、ノズル固定板１００のビス・ネジの取り外し作業、及び固着作業は背面を向い合せた遊技機Ｐの背面間空間での設置台中央での狭い場所で行う作業では煩わしい時間のかかる作業であった。更に、島には数十台の遊技機があり、島単位で遊技機を交換するのは大きな手間労力が必要な面倒な作業であった。
【０００４】
加えて、遊技機Ｐの背面ＰＢの補給口ＰＯの高さ・左右の位置とその補給口の寸法が遊技機Ｐの機種毎又はメーカー毎に異なることがあり、その場合交換する遊技機Ｐの機種・メーカー毎の補給ノズルの保持位置の変更作業が必要となり、遊技機Ｐの交換作業が更に面倒で手間時間がかかるものとなっていた。
【０００５】
又、これとは別に特許文献１にはメダル補給路の下部シュートの下方に遊技機の背面に設けたシュート状メダル受入口を設置させて、メダル補給路の下部シュートから落下するメダルをメダル受入口で受け入れて、遊技機内部のメダルホッパーへ送る構造としている。この構造であれば、下部シュートとメダル受入口が上下に正しく対向していずにズレがある場合は、下部シュートから吐出されるメダルがメダル受入口に入らずにその外周に零れて設置台上・下方の遊技機の関連器具・配線・配管の間に落下し、その落下メダルの回収に手間時間がかかり、後作業が必要となる。更に、落下メダルが電気ショートを生起する可能性もある。
【０００６】
この下部シュートとメダル受入口の配置位置エラーは、遊技機の交換時に作業ミスとして発生する恐れがあった。又、遊技機の機種・外形状・寸法が違う場合でも補給路側下部シュートと遊技機背面のメダル受入口との位置ズレを生起し、正常にメダルを遊技機内へ送られず外側にメダルを落下して散乱させることが生じる。従って、遊技機の交換作業において下部シュートとメダル受入口の位置調整作業を必要としていて、それに労力と時間がかかるものとなっていた。
【先行技術文献】
【特許文献】
【０００７】
【特許文献１】特開２０１２−１３５４２４号公報
【発明の概要】
【発明が解決しようとする課題】
【０００８】
本発明が解決しようとする課題は、遊技機とメダルの補給路との接続構造の問題点を解消し、遊技機をその設置台の所定の設置位置からの排除の移動作業と、新しい遊技機の設置位置までの移動作業だけで自動的に補給ノズルの遊技機の背面の補給口からの離脱と挿入下向き設定が出来て、補給ノズルの手作業による遊技機の背面の補給口からの排出・挿入及びノズル固定板のビス・ネジの取り外し作業・固着作業が不要にでき、遊技機の交換作業が大巾に短時間で且つ容易に行える遊技機のメダル補給路との接続構造を提供することにある。
更に、遊技機の機種・メーカー毎に背面の補給口の位置・寸法が異なっても、簡単に対応の操作が行えるものとすることにある。加えて、遊技機が遊技者又は不法者によって勝手に動かせないようにすることにある。
【課題を解決するための手段】
【０００９】
かかる課題を解決した本発明の構成は、
１）  設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のケーシングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のケーシングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備えた遊技機のメダル補給路との接続構造に於いて、
前記固定手段は設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する構造である、遊技機のメダル補給路との接続構造
２）  前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、前記１）記載の遊技機のメダル補給路との接続構造
３）  前記固定構造体が、設置された遊技機へメダルを補給するメダル補給路とその先端の補給ノズルとを保持し且つ設置された遊技機の後方で設置台に固設されたメダル補給路の前記支持構造体であり、又前記取付部は同支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、前記１）記載の遊技機のメダル補給路との接続構造
４）  前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、前記１）〜３）いずれか記載の遊技機のメダル補給路との接続構造
５）  前記制動パットが、左右に長い剛性ある取付板の上方に前記ねじ軸を貫通させるねじ孔を設け且つ同ねじ孔によって前記ねじ軸の下端の下端拡巾部を係止して取付板を吊止する門型係止部を設け、又同取付板の下面にゴム層を摩擦面として接合した構造であり、前記昇降機構は取付部の取付部位の水平張出面に螺合された下端拡巾部を有する複数のねじ軸と，制動パットの複数の前記門型係止部と，ねじ軸の軸頭の操作部とから構成される、前記４）記載の遊技機のメダル補給路との接続構造
にある。
【発明の効果】
【００１０】
本発明によれば、設置台上に固設した位置規制枠体に遊技機が嵌合されてない状態及び遊技機のケーシングが位置規制枠体の設定位置まで深く挿入されていない状態では補給ノズルの挿入部分は略水平状態にあり、遊技機を位置規制枠体から前方に移動させても補給ノズルの挿入部分は遊技機の背面の補給口の内側にあって、遊技機が前方移動しても補給ノズルの挿入部分が遊技機の背面の口縁面に係止して遊技機の前方移動の支障となることなく、遊技機を補給ノズルと補給路を残して設置台前方へ移動して、使用していた遊技機を設置台外へ運んで排除でき、使用していた遊技機が排除されると補給ノズルの挿入部分は略水平状態に保持されたまま残る。次の交換する遊技機の背面の補給口の位置・寸法が前の遊技機のものと同じであれば、新しい遊技機を設置台上の位置規制枠体に前方から嵌入してその深い位置まで移動すると補給ノズルは新しい遊技機の背面の補給口にそのまま挿入され、深い嵌合位置まで嵌入される。新しい遊技機のケーシングの一部が取付基端部・取付ベースを加圧して補給ノズルの取付基端部及び取付ベースが回動して補給ノズルの挿入部分を下向けに変向して、補給ノズルのノズル口からのメダルを遊技機内のメダルホッパーへ落下させてメダルを補給できるようになっている。
【００１１】
このように、使っていた遊技機は設置台の位置規制枠体から前方へ引き出すことで補給ノズルと接触することなく遊技機を排除でき、又新しい同じ補給口の遊技機は設置台上の位置規制枠体に前方へ押し込んで深く嵌合させれば補給ノズルを遊技機内に挿入し、最後は補給ノズルを下向きにしてメダル補給を可能状態までできる。
【００１２】
又、新しい遊技機の補給口の位置・寸法が違う場合は、使用した遊技機を排除すると支持構造体が前面に露われるので、設置台の前方から補給ノズルの取付基端部又はこれを取付けた取付ベースの上下高さ・左右位置を調整することができ、補給ノズルの挿入部分が新しい遊技機の背面の補給口の内側になるように調整できる。この調整作業は前面が開放された設置台上の作業であるので、設置台の前方から作業員が簡単で迅速に行える作業である。この調整後に新しい遊技機を位置規制枠体内に嵌入して深い嵌合位置まで移動させれば、遊技機の背面が取付基端部・取付ベースを押圧して挿入した補給ノズルの挿入部分を下向きにでき、直ちに使用可能となる。
【００１３】
このように、補給口の位置・寸法が違うものでも簡単に遊技機の交換作業が容易迅速にできる。
【図面の簡単な説明】
【００１４】
【図１】図１は実施例１，２の遊技場における島での設置台上の遊技機の設置状態を示す説明図である。
【図２】図２は図１の設置状態から遊技機を引き出して排除した状態を示す説明図である。
【図３】図３は図２で上方の幕板と、右の貸機を省略した状態の位置規制枠体と、支持構造体及び補給路と補給ノズルの状態を示す斜視図である。
【図４】図４は実施例１の要部構造を示す斜視図である。
【図５】図５は実施例１の要部構造の分解斜視図である。
【図６】図６は実施例１の位置規制枠体と支柱の連結状態を示す分解斜視図である。
【図７】図７は実施例１の位置規制枠体と支柱との連結状態を示す斜視図である。
【図８】図８は実施例１，２の左側上下カーソルを示す斜視図である。
【図９】図９は実施例１，２の右側上下カーソルを示す斜視図である。
【図１０】図１０は実施例１，２の左側上下カーソルの分解斜視図である。
【図１１】図１１は実施例１，２の左右の上下カーソルとこれらを連接した水平部材との連結状態を示す斜視図である。
【図１２】図１２は実施例１，２の水平部材に後方への加圧力が加わった場合の水平部材の後方への移動を示す説明図である。
【図１３】図１３は実施例１，２の水平部材の左右の上下カーソルに取付ける構造を示す分解斜視図である。
【図１４】図１４は実施例１，２の水平部材の左右スライド台と取付ベースとの取付構造を示す斜視図である。
【図１５】図１５は図１４に示す左右スライド台と取付ベースの取付構造の分解斜視図である。
【図１６】図１６は図１４に示す取付構造の前方からの矢視の斜視図である。
【図１７】図１７は実施例１，２の左右スライド台と取付ベースを示す分解斜視図である。
【図１８】図１８は実施例１の補給ノズルの高さ調整をしている状態を示す斜視図である。
【図１９】図１９は実施例１，２のスロットル機である遊技機のケーシングの背面の補給口の高さを確認する状態を示す斜視図である。
【図２０】図２０は実施例１の遊技機を設置し、その固定手段で設置位置に固定した状態を示す説明図である。
【図２１】図２１は実施例１の取付部と昇降機構と制動パットの取付構造を示す斜視図である。
【図２２】図２２は実施例１の図２１の取付構造の分解斜視図である。
【図２３】図２３は実施例１の図２１の取付構造の２段分解の説明図である。
【図２４】図２４は実施例１の遊技機を位置規制枠体の中間まで嵌入した状態の説明図である。
【図２５】図２５は実施例１の遊技機を位置規制枠体に深く嵌合して設置位置となって固定手段を作動した状態を示す説明図である。
【図２６】図２６は実施例１の遊技機を取り外した状態を示す説明図である。
【図２７】図２７は実施例１の遊技機を設置台の中間まで押し進めた状態を示す説明図である。
【図２８】図２８は実施例１の遊技機を設置位置まで押し進めた状態を示す説明図である。
【図２９】図２９は実施例２の遊技機の固定手段の構造を示す分解斜視図である。
【図３０】図３０は実施例２の遊技機の固定手段の斜視図である。
【図３１】図３１は実施例２の固定手段の例を示す斜視図である。
【図３２】図３２は実施例２の制動パットを浮かせた状態の固定手段の構造を示す説明図である。
【図３３】図３３は実施例２の固定手段による固定状態を示す説明図である。
【図３４】図３４は従来の補給ノズルとそのノズル固定板と遊技機の背面の補給口との連結前の状態を示す説明図である。
【図３５】図３５は従来の補給ノズルを補給口に挿入してノズル固定板で遊技機の背面に取付けた状態を示す説明図である。
【図３６】図３６は本発明の固定手段の他の例を示す説明図である。
【図３７】図３７は図３６の固定手段の電源開閉路を示す説明図である。  尚、図１〜１９は固定手段Ｆ１，Ｆ２が違う実施例１（Ｇ１），２（Ｇ２）の共通の構造部分を示す図面となっている。
【発明を実施するための形態】
【００１５】
本発明は設置台に１〜２台の遊技機がある場合でも適用できる発明であるが、スロットル機の遊技機が島に多数台配置される遊技場における遊技機の交換作業に有益である。
本発明で、遊技機の背面の補給口の縦横寸法を寸法規格に大きく統一すれば、補給ノズルの上下・左右位置の調整量が少なく又は調整し直すことが不要にできることができ、遊技機の交換作業も迅速にできるようになる。しかし、補給口の面積をあまり広くすると遊技機内のメダルホッパーからのメダルの溢出又は補給されて落下したメダルが反射して補給口から外に零れでる可能性もあり、適切な寸法のものに設定する。しかし、補給口を大きく規定した上で補給ノズルの挿入部分の長さを長めにすれば、前記メダルの溢出・反射零れも少なくでき、好ましい状態となると判断される。
【００１６】
本発明の支持構造体は、位置規制枠体と独立して設置台に設けてもよいし、実施例の如く支持構造体を設置台に固設した位置規制枠体と連結して安定して立設する構造としてもよい。
【００１７】
本発明では、遊技機を位置規制枠体に深く嵌合してその設置位置にした後は、遊技機を前方へ引き出しても動かないように遊技機の設置位置の固定手段を設けるが、図２０〜２８に示す実施例１の固定手段Ｆ１では、取付部Ｔは幕板ＭＰの下方水平梁部材Ｙ１にのみ木ネジＴ３で固着した同取付部に昇降機構ＳＫと制動パットＰＡを取付けている。これに対して、図２９〜３４に示す実施例２の固定手段Ｆ２は取付部Ｔの取付部位Ｔ１が後方の支持構造体４の方へ延伸し、その垂直な左右の主柱４１の上部とネジＴ４によって固定されている。よって、実施例２では制動パットＰＡは下方水平梁部材Ｙ１及び主柱４１とによって強固に設置台に固設され、強い力で遊技機Ｐを前後・左右に動かしても遊技機Ｐが動かないようにより強固にしている。
【００１８】
本発明において、遊技機のケーシング側の背面等の部材で補給ノズルの取付基端部２１３を変向させる機構は、実施例１，２のバネ材を使う以外に取付基端部２１３を左右スライド台に対し常時は傾斜にして補給ノズルの挿入部分を略水平にし、遊技機側からの加圧で取付基端部を回動して先端の補給ノズルの挿入部分が下向きとなるようにできる機構・リンク機構でもよく、本発明の基本はこれも含むものである。
【実施例】
【００１９】
図１〜３３に示す本発明の実施例１，２について、以下図面に基づいて説明する。
本発明の図１〜２６の実施例１及び図２９〜３３の実施例２を図面に基づいて具体的に説明する。図１〜３，８〜１７，１９は実施例１（Ｇ１），２（Ｇ２）の共通の構造部分を示す図面である。
【００２０】
実施例１と実施例２との相違した構造は、固定手段Ｆ１の固定構造体が、実施例１のＧ１では幕板ＭＰの下方水平梁部材Ｙ１の奥端にのみ固着された取付部Ｔの取付部位に昇降機構ＳＫ，制動パットＰＡが取付けられていることに対し、実施例２のＧ２の固定手段Ｆ２では実施例１（Ｇ１）の取付部Ｔが更に後方に延伸して補給路と補給ノズル２１を支持する支持構造体４の左右の主柱４１の上部と連結され取付部Ｔの設置強度を高め、遊技者や不法者が遊技機Ｐを強く動かそうとしても遊技機Ｐの動きを強固に防止している。実施例１（Ｇ１），２（Ｇ２）の昇降機構ＳＫ，制動パットＰＡの構造は同じ構造のものとなっている。又、他のメダル補給路２，位置規制枠体３，支持構造体４，水平部材５，スライド台６，補給ノズル２１の構造も同じ構造を有している。
本実施例１，２とも遊技場の島Ｓの長い設置台上にスロットル機の遊技機Ｐを背中合せに数十台列設させ、設置台ＳＴの中央上方にメダル供給ライン１を配置し、同メダル供給ラインのメダルを取り込むメダル取り込み器１１を介して各遊技機へメダルを送り込むメダル補給路２を設けている。遊技機Ｐから排出されるメダルは、設置台ＳＴ下方のメダル回収ラインＭＫへ送られている。
次に、実施例１，２の支持構造体４は正面（前方）の壁面に係止孔４１１と高さの目盛４１２を有する左右一対の主柱４１と、同主柱に沿って上下摺動して所定位置で係止爪４２１で係止できる上下カーソル４２と、左右の上下カーソル４２を連接する水平部材５と、同水平部材を５ｃｍ程前後に移動でき且つ前方に付勢する付勢手段と、水平部材５に沿って摺動するスライド台６と、同スライド台に板バネ材５３を介してメダル補給路２の補給ノズル２１の取付基端部とその上方の補給路部分を傾斜状態で把持する取付ベース６４とから構成されている。そして、この支持構造体４は設置台に固定された位置規制枠体３にネジで連結されて安定的に立設されている。そして、遊技機Ｐが位置規制枠体３に深く嵌合された設置位置において、遊技機Ｐの前後移動をロックする固定手段Ｆ１，Ｆ２が設けられている。固定手段Ｆ１，Ｆ２として、実施例１と実施例２の２タイプを提示した。
【００２１】
（符号の説明１）
図１〜３３に示される実施例１，２の主要構成の符号を説明する。
Ｇ１，Ｇ２は本発明の実施例１，２の遊技機Ｐとメダル補給路２との接続構造、Ｓは遊技場の島、ＳＴは同島Ｓの長い設置台、ＳＴ１は設置台ＳＴの台脚、Ｋは設置台ＳＴ上で遊技機Ｐの横に設置されるメダル貸機、ＭＳはそのメダルシュート、Ｐはスロットル機である遊技機、ＰＨは遊技機Ｐのケーシング、ＰＢは遊技機ＰのケーシングＰＨの背面、ＰＯは同背面に開口された補給口、ＰＭＨは遊技機Ｐ内のメダルホッパー、ＰＴはケーシングＰＨの天井面、ＭＰは島Ｓの上方のランプＬを取付けた幕板、Ｙ１は幕板ＭＰを取付ける下方の下方水平梁部材、Ｙ２は同上方水平梁部材、ＭＫは設置台ＳＴ下方に設けたメダル回収ライン、Ｌはランプ、Ｙ３は下方水平梁部材Ｙ１の前方に設けた幕板ＭＰの嵌合溝である。
【００２２】
（メダルの送りの構成における符号の説明２）
又、図中、１は設置台ＳＴの中間上方に設けたメダル供給ライン、１１はメダル供給ラインで搬送されるメダルを各遊技機Ｐへ送るメダル補給路２へ送り込むメダル取り込み器、２はメダル補給路、２１はメダル補給路２の先端部の剛性ある途中で水平から後斜めに折曲した補給ノズルであって、下向きに傾斜した上方の傾斜部２１０の先の下方部分は折曲して水平に延びた挿入部分２１１を有し、挿入部分２１１の先端にはメダルを吐出するノズル口２１２を有している。２１３は補給ノズル２１の上方位置に設けられて取付ベース６４に固着される取付基端部、２２は同取付基端部に取付けられ補給ノズル２１の上方に接続されたメダル補給路２を形成する上方が断面長円状に径が大きく拡径した拡径補給部、２３はメダル取り込み器１１と前記拡径補給部２２との間の補給路で変形変位容易な蛇腹ホースで形成されて下部が拡径補給部２２内へ挿入されたフレキシブル補給部、２４は取付基端部２１３の前方に傾斜状に取付けられた遊技機Ｐ側からの圧力で取付基端部２１３を垂直方向にする受圧板である。
又、図中１００は従来のノズル固定板、２１０は補給ノズル２１の傾斜部、２１１は補給ノズル２１の水平に延びた挿入部分、２１２は補給ノズル２１のノズル口である。
【００２３】
（位置規制枠体３の符号の説明３）
又、図中、３は位置規制枠体で、３１はその左面板、３２はその右面板、３３はその背面板、３４はその底面板であって、４個所の皿ネジ孔に皿ネジによって設置台ＳＴに固定されている。３５は遊技機ＰのメダルホッパーＰＭＨからのオーバーフローしたメダルを設置台ＳＴ下方のメダル回収ラインＭＫへ送るメダル回収管等を配装するための設置台ＳＴと底面板３４に設けた開口部、３６は位置規制枠体３を設置台ＳＴに固定する木ネジである。
【００２４】
図中（特に図３〜１８，２６〜３１における支持構造体４の符号の説明４）、４は支持構造体で、４１は左右あるＣチャンネルを使った主柱、４１１は同主柱の前方に面した正面に設けた係止孔、４１２は同係止孔の高さの目盛、４１３は同主柱を位置規制枠体３に連結するネジである。又、４２は左右ある主柱４１それぞれに取付けられて上下摺動する左右ある上下カーソル、４２１は同上下カーソル外面にその中間を枢支されて取付けられた係止爪、４２２は同係止爪の先端の爪で、主柱４１の係止孔４１１に嵌入して上下カーソル４２を固定させる。４２３は係止爪４２１の爪４２２を係止孔４１１方向へ付勢するスプリング、４２４は係止爪４２１の枢支軸、４２５は同枢支軸の軸受部、４２６は水平部材５の左右端の折曲片５１を嵌入して水平部材５を短い寸法であるが前後にスライド自在にするためのスライド溝、４２７は水平部材５の抜止め防止板、４２８は同抜止め防止板を上下カーソル４２に連結するネジである。
【００２５】
（補給ノズル２１の姿勢制御の構造についての符号の説明５）
図中、特に図３〜５，１１〜１８，２６，２７，２８，２９，３０において、５は左右の上下カーソル４２を連接する縦板状の水平部材、５１は同水平部材の左右端それぞれに設けた折曲片であって、各折曲片は上下カーソル４２のスライド溝４２６と抜止め防止板４２７との間に差し込まれて係止されている。５２は水平部材５の中央上部に設けたスリット孔、５３はへ字状に折曲した形状を有し、一端を上下カーソル４２にネジ５２１で固着され、折曲した自由端は水平部材５を前方に付勢するようにするための板バネ材である。５２１は板バネ材５３の固着用ネジである。
【００２６】
図中、特に図５，１４〜１７，２６〜２８において、６は水平部材５に取付けられて水平部材５に沿って左右摺動して所定位置で固定できるスライド台、６１は水平部材５の上端部を挿入するスライド溝、６１１は所定の左右位置でスライド台６を水平部材５で保持させるネジ、６２はスライド台６の前面にネジ６２１で固着されたバネ板、６２１は同バネ板６２を固着するネジ、６４は同バネ板６２に取付けられた左部材６４１と右部材６４２とこれらをバネ板６２に固着するネジ６４３とから構成される取付基端部２１３の取付ベース、左部材６４１，右部材６４２には取付基端部２１３の左右端を把持する係合面６４１１，６４２１が設けられていて、取付基端部２１３を左右の係合部材６４１，６４２に係合させてネジ６４４で固着している。６４１は取付ベース６４の左部材、６４２は取付ベース６４の右部材、６４１１は左部材６４１の係合面、６４２１は右部材６４２の係合面、６４４は係合ネジである。
【００２７】
（固定手段Ｆ１，Ｆ２，Ｆ３の符号の説明６／図２０〜２８，２９〜３３，３６，３７において）
遊技機Ｐの位置規制枠体３に深く嵌合した設置位置での固定手段を図に示している。実施例１（Ｇ１）の固定手段はＦ１の符号を、又実施例２（Ｇ２）の固定手段にはＦ２の符号を、更に図３６，３７に示す電動シリンダーを使用した固定手段にはＦ３の符号を付している。
ＰＡは本発明の制動パット、ＰＡ１は制動パットＰＡの剛性ある金属製取付板、ＰＡ２は取付板ＰＡ１の下面に接合させた摩擦面のゴム層、ＰＡ３は取付板ＰＡ１の上に立設した門型係止部、ＰＡ３１は同門型係止部ＰＡ３の門型フレーム、ＰＡ３２は同門型フレームの上辺中央部に設けたねじ軸ＳＫ１を貫通させたねじ孔、ＳＫは制動パットＰＡの昇降機構、ＳＫ１は取付部Ｔの取付部位Ｔ１に螺合した垂直なねじ軸、ＳＫ２は同ねじ軸ＳＫ１の下端に取付けた袋ナットで形成された下端拡巾部、ＳＫ３はねじ軸ＳＫ１の頂部の蝶状のねじ頭であって、操作部に相当する。
又、Ｔは本発明の昇降機構ＳＫを固定構造体である下方水平梁部材Ｙ１又は支持構造体４に取付ける左右に長い折曲した金属板からなる連接部材でもある取付部、Ｔ１は同取付部Ｔの昇降機構ＳＫを取付ける左右に長い取付部位、Ｔ２は取付部位Ｔ１の左右に長い水平張出面、Ｔ３は実施例１の取付部Ｔを固定構造体の下方水平梁部材Ｙ１に固着させる木ネジ、Ｔ３１は同木ネジ用ネジ孔、Ｔ４は実施例２の取付部Ｔを固定構造体である支持構造体４の主柱４１の上部に固着するネジ、Ｔ５は左右に長い取付部位Ｔ１の水平張出面Ｔ２のネジ孔Ｔ５１上に所定間隔離して垂直に立設された雌ねじ筒で、ねじ軸ＳＫ１を下方に貫通するように螺合させている。Ｔ５１はねじ軸ＳＫ１の貫通用ネジ孔である。
又、図３６，３７に示す固定手段Ｆ３中の符号について説明する。ＥＳは下方水平梁部材Ｙ１の奥端に取付けた低圧の交流の電圧で作動する電動シリンダー、ＥＳＲは同電動シリンダーのシリンダーロッド、ＥＳＰは同シリンダーロッドの下端に取付けた左右に長い細長の加圧板、ＥＧＰは同加圧板の下部に取付けた細長のゴム板、ＥＳＳはシリンダーロッドＥＳＲの外周に設けた下方付勢のスプリング、ＭＳＷは電源の主スイッチで、島又は遊技機単位に設けられ、手動スイッチ又はコンピュータ・制御装置の信号で開閉される。ＮＳＷは所定の強い磁気を感知すると閉する常開の近接スイッチ、ＳＷＢは近接スイッチＮＳＷを閉させるための操作棒、ＳＷＢＳは同操作棒の先端に設けた近接スイッチの作動部、ＭＧは同作動部にある磁石、ＷＬ１は操作棒ＳＷＢの基端に設けた発光灯、ＷＬ２は電動シリンダーＥＳに通電作動していることを示す警告ランプ、ＬＳＷは操作棒ＳＷＢの発光灯ＷＬ１を内蔵の電池（図示せず）で発光させるスライドスイッチである。
【００２８】
（実施例の動作・使用説明）
実施例の遊技場の島Ｓには、図１に示すように遊技機Ｐと貸機Ｋが設置台ＳＴ上に多数台列設されている。図２に、その設置台ＳＴから１台の遊技機Ｐを取り外した状態を示す。尚、貸機ＫのメダルシュートＭＳは回転され、遊技機Ｐの出入れの支障ないようにしている。
【００２９】
この状態では、図３〜７に示すように位置規制枠体３の左面板３１，右面板３２，底面板３４，背面板３３が露出している。又、補給ノズル２１の挿入部分２１１が水平に前方に突出するようになっている。又、その後方の支持構造体４及び取付ベース６４も露出して、上下カーソル４２，スライド台６，取付ベース６４の上下位置・左右位置を変えて、補給ノズル２１の取付基端部２１３は位置調整可能となっている。
【００３０】
遊技機Ｐのメダルは、設置台ＳＴの中央上方に設けたメダル供給ライン１から搬送されているメダルをメダル取り込み器１１によって、所定枚数メダル補給路２に取り込んでいる。メダル補給路２のメダルは、フレキシブル補給部２３，拡径補給部２２，取付基端部２１３，補給ノズル２１，ノズル口２１２を介して遊技機Ｐ内のメダルホッパーＰＭＨへ送られる。
【００３１】
使用時は、遊技機Ｐは図２５，２８に示すようにその位置規制枠体３に深く嵌合された状態であり、遊技機Ｐの背面ＰＢが受圧板２４に圧接して垂直にしてその取付基端部２１３，取付ベース６４とも前下方向に傾いた状態から垂直状態に近くなる。これによって、取付基端部２１３に取付けていた補給ノズル２１の挿入部分２１１は下向きとなって、メダルホッパーＰＭＨへメダルを吐出する。これが使用状態である。補給ノズル２１の取付基端部２１３を取付ける取付ベース６４とスライド台６との間に介在するバネ板６２及び水平部材５の板バネ材５３は遊技機Ｐが設置位置の深い嵌合状態では、その背面ＰＢが取付基端部２１３の前方の受圧板２４を加圧してバネ板６２及び板バネ材５３を圧縮して、取付基端部２１３及び取付ベース６４を傾斜状態から垂直状態に変向する。これによって、取付基端部２１３に取付けられていた補給ノズル２１の挿入部分２１１は回転して下向きとなる。バネ板６２，板バネ材５３は取付基端部を斜めから垂直に破損することなく、円滑に回動させることに寄与する（図２８参照）。
【００３２】
（遊技機の交換作業する場合）
遊技機Ｐを設置台ＳＴから取り出す前に遊技機Ｐの固定手段を解除操作で非固定状態にする。その手順は、図２４，２５と図３２，３３に示す固定方法のタイプの構造に従って後述するようなその逆の操作で解除する。
【００３３】
この固定手段Ｆ１，Ｆ２は、遊技者が勝手に遊技機Ｐを前方へ移動し、前方に移動した状態ではメダルが正常にメダルホッパーへ移動しない可能性があるので、それを防ぐためである。
【００３４】
遊技機Ｐの固定手段Ｆ１，Ｆ２の解除作業後、遊技機Ｐの交換作業は設置していた前の遊技機Ｐを位置規制枠体３から前方へ引出すだけで遊技機Ｐを設置台ＳＴの前方へ引出させる。遊技機Ｐを少し前方に引出すと、遊技機Ｐの背面ＰＢが受圧板２４，取付基端部２１３，取付ベース６４から離れると、バネ板６２及び板バネ材５３の付勢力が働いて、加圧がない自然状態では取付基端部２１３，取付ベース６４が後方に傾斜する状態となり、その取付基端部２１３が後方に傾斜すると補給ノズル２１の先端の折曲した挿入部分２１１は自動的に略水平に戻される。この略水平状態では補給ノズル２１の挿入部分２１１は遊技機Ｐの補給口ＰＯの内側にあって、遊技機Ｐが前後移動しても挿入部分２１１が補給口ＰＯの口縁・その外周口縁面と接触して係止することがない。
【００３５】
よって、遊技機Ｐを少し前方に移動すると補給ノズル２１の挿入部分２１１は略水平となって、遊技機Ｐを前方に引出しても何ら支障なく引出せる。口外周壁と接触なく遊技機Ｐを前方へ移動できる。その結果を図２６，２７に示している。
【００３６】
次に、新しい遊技機Ｐを排除された前の遊技機Ｐの位置に新しい遊技機を設置する交換作業について説明する。
交換する新しい遊技機Ｐの補給口ＰＯの位置・寸法・メダルホッパーＰＭＨの位置・寸法が前に設置した遊技機Ｐと同じ場合では、そのまま新しい遊技機Ｐを位置規制枠体３の前方から深く嵌合するようにそのまま奥の方へ移動すれば、補給ノズル２１の挿入部分２１１は補給口ＰＯ内に挿入されていく。深く嵌合すると、遊技機Ｐの背面ＰＢが取付基端部２１３の前方に取付けた受圧板２４を押してバネ板６２及び板バネ材５３を加圧して圧縮し、取付ベース６４，取付基端部２１３は遊技機Ｐの背面ＰＢで押圧されて、垂直に近い状態となる（図２６〜２８参照）。
これによって、取付基端部２１３は加圧される前の傾斜状態（図２７参照）から図２８に示すように垂直に近い姿勢に回動され、取付基端部２１３に取付けていた補給ノズル２１の先端の挿入部分２１１は下向きに傾斜状態となる。
即ち、遊技機Ｐが深く嵌合すると水平であった補給ノズル２１の挿入部分２１１は遊技機Ｐ内に挿入された状態で下向きとなる。
よって、この挿入部分２１１のノズル口２１２から吐出されるメダルはメダルホッパーＰＭＨへ正常に落下して送られるようになる。
【００３７】
その後、遊技機Ｐを固定手段を使用して設置台ＳＴ上で固定させる。この状態が遊技機Ｐの使用状態となる。
【００３８】
（新しい遊技機Ｐの補給口ＰＯが前に設置していた遊技機Ｐの補給口ＰＯの位置・寸法が違う場合の交換の手順）
この場合は、前の遊技機Ｐを設置台ＳＴから引き出した状態（図２，３，４，１８の状態）とした後、その後方の露出した支持構造体４の左右ある上下カーソル４２の高さ及びスライド台６の左右位置を調整する。左右の上下カーソル４２の上下高さ調整は、係止爪４２１の爪４２２を係止孔４１１から引き出して目盛４１２を使用して上下所定高さにして係止爪４２１の爪４２２をその目盛４１２の係止孔４１１へスプリング４２３を使って係止させる。
次に、ネジ６２１はスライド台６が水平部材５に保持される様にしている。スライド台６を水平部材５に沿って動かして、補給ノズル２１の挿入部分２１１が補給口ＰＯの中心部となるようにスライド台の左右位置を調整する。
このように、補給ノズル２１の挿入部分２１１を遊技機Ｐの補給口ＰＯの略中心部で略水平となるように取付基端部２１３の上下左右位置を調整する（図１５参照）。
【００３９】
その調整後に、新しい遊技機Ｐをその位置規制枠体３に深く嵌合すれば、挿入部分２１１は水平状態で新しい遊技機Ｐの補給口ＰＯの中心部に挿入され、深く嵌合した時点で挿入部分２１１は下向きとなって正常にメダルをメダルホッパーＰＭＨへ送り出せる状態となる。
【００４０】
遊技機Ｐを位置規制枠体３に設置位置の深く嵌合の位置にして、メダルを遊技機Ｐに補給できるようにした後、固定手段を使用して遊技機Ｐをその深い嵌合位置に固定する。その固定手段として、実施例１と実施例２の２タイプの固定手段Ｆ１，Ｆ２の構造例を提供している。
【００４１】
本実施例の固定手段Ｆ１，Ｆ２は幕板ＭＰを取り外して操作せねばならないようになっていた。この固定手段Ｆ１，Ｆ２の解除は遊技場の管理者・従業員以外は操作できないような構造であり、遊技者が固定手段の固定状態を解除できないようにしている。
【００４２】
図３６，３７に示す固定手段Ｆ３は本発明の固定手段の他の例であり、下方水平梁部材Ｙ１の奥端に直流又は交流で作動する電動シリンダーＥＳを垂直に固着し、同電動シリンダーのシリンダーロッドＥＳＲの下端に取付けた加圧板ＥＳＰの下面に左右に長いゴム板ＥＧＰを取付け、又同加圧板ＥＳＰを常時下方に付勢するスプリングＥＳＳをシリンダーロッドＥＳＲの外周に設け、電動シリンダーＥＳの電源線に手動操作又は遊技場のコンピュータ又は制御器（図示せず）の信号によって電流を開閉する各遊技機用主スイッチＭＳＷと下方水平梁部材Ｙ１の奥上面に設けた常開の磁気感知の近接スイッチＮＳＷとが直列接続されている。
この固定手段Ｆ３では遊技機の交換作業する場合、主スイッチＭＳＷを操作して閉路し、更に遊技機Ｐの上方の幕板ＭＰを取り外し、下方水平梁部材Ｙ１上に磁気感知の近接スイッチＮＳＷを閉路させる。交換作業用の近接スイッチＮＳＷを閉作動させることができる磁石ＭＧがある作動部ＳＷＢＳを先端に取付けた操作棒ＳＷＢを備えている。尚、近接スイッチＮＳＷに代えて単なる手動スイッチにしてもよい。
【００４３】
更に、図３６，３７の固定手段Ｆ３の使い方・構造を説明する。
上記近接スイッチＮＳＷは電動シリンダーＥＳの後方から左右に少し離した位置に設け、操作棒ＳＷＢは下方水平梁部材Ｙ１の上でその作動部ＳＷＢＳの磁石ＭＧが近接スイッチＮＳＷを作動させる位置に置いて（図３７参照）、常時近接スイッチＮＳＷを作動させる閉路した状態を保つようにして、遊技機Ｐの交換作業中電動シリンダーＥＳを作動させ、ゴム板ＥＧＰを天井面ＰＴから上方に持ち上げて、遊技機Ｐの前後左右の動きを可能として交換作業に支障がないようにする。更に、電動シリンダーＥＳと並列に接続されていて、通電されると点滅する警告ランプＷＬ２を接続していて、電動シリンダーＥＳが作動しているか分るようにしている。加えて、操作棒ＳＷＢの基端には作業中であることを示す発光灯ＷＬ１をスライドスイッチＬＳＷによって内蔵電池により点灯できるようにしている。交換作業後に、操作棒ＳＷＢを下方水平梁部材Ｙ１から取り外せば、近接スイッチＮＳＷが開いて電動シリンダーＥＳは不作動となり、スプリングＥＳＳによってゴム板ＥＧＰを天井面に圧接させ、遊技機Ｐは動かないように固定される。
【００４４】
交換する遊技機Ｐに対し、主スイッチＭＳＷを閉にし且つ現場で操作棒ＳＷＢの作動部ＳＷＢＳを用いて近接スイッチＮＳＷを閉した場合のみ電動シリンダーＥＳが作動し、そのシリンダーロッドＥＳＲが縮まるように上昇し、加圧板ＥＳＰ・ゴム板ＥＧＰを遊技機Ｐの天井面ＰＴから引き上げて、遊技機Ｐの前後・左右・回転を可能にする。この状態で遊技機Ｐの交換を行う。遊技機Ｐの交換して新しい遊技機Ｐが設置完了すると、操作棒ＳＷＢを下方水平梁部材Ｙ１から排除すると近接スイッチＮＳＷが開となり、電動シリンダーＥＳは作動せずスプリングＥＳＳが加圧板ＥＳＰの下方のゴム板ＥＧＰの下面を遊技機Ｐの天井面ＰＴに加圧して、ゴム板ＥＧＰの摩擦によって遊技機Ｐを動かなくしている。又、作業しない場合は主スイッチＭＳＷを開路にして確実に遊技機Ｐを動かなくして防犯性を高める。
図３６（ａ），図３７に示すように、ゴム板ＥＧＰは前方に従って厚みが薄くなるように三角形状のゴム板ＥＧＰを保持すれば、遊技機Ｐの前方の移動に対し三角形状のゴム板ＥＧＰは摩擦力の他に楔力が働いて強力に遊技機Ｐの前方移動を阻止できる。電動シリンダーＥＳを通電すればシリンダーロッドＥＳＲが縮まって（上昇して）その下端のゴム板ＥＧＰは天井面ＰＴから離れることで遊技機Ｐの水平移動を可能としている。通電されない場合では、スプリングＥＳＳでゴム板ＥＧＰを天井面ＰＴに圧接することとなるので、常時遊技機Ｐの移動を阻止でき、固定のためのネジ・ボルトの取り付け取り外しの作業をしなくてもよく、作業性を良好にする。
【産業上の利用可能性】
【００４５】
本発明は、スロットル機の遊技機で説明しているが、メダル・パチンコ球・コイン等を使用した他の娯楽機・物品販売機・券発行機等においても利用出来る。
【符号の説明】
【００４６】
Ｇ１    実施例１の遊技機とメダル補給路との接続構造
Ｇ２    実施例２の遊技機とメダル補給路との接続構造
Ｆ１    実施例１の固定手段
Ｆ２    実施例２の固定手段
Ｆ３    本発明の他の固定手段
Ｐ    遊技機
ＰＭＨ    遊技機内のメダルホッパー
ＰＨ    遊技機のケーシング
ＰＢ    ケーシングの背面
ＰＯ    補給口
ＰＴ    ケーシングの天井面
ＰＡ    制動パット
ＰＡ１    取付板
ＰＡ２    ゴム層
ＰＡ３    門型係止部
ＰＡ３１    門型フレーム
ＳＫ    昇降機構
ＳＫ１    ねじ軸
ＳＫ２    下端拡巾部
ＳＫ３    ねじ頭（操作部）
Ｔ    取付部
Ｔ１    取付部位
Ｔ２    水平張出面
Ｔ３    木ネジ
Ｔ３１    ネジ孔
Ｔ４    ネジ
Ｔ５    雌ねじ筒
Ｓ    島
ＳＴ    設置台
ＳＴ１    台脚
Ｋ    貸機
ＭＳ    メダルシュート
Ｌ    ランプ
ＭＰ    幕板
Ｙ１    下方水平梁部材
Ｙ２    上方水平梁部材
Ｙ３    嵌合溝
ＭＫ    メダル回収ライン
ＥＳ    電動シリンダー
ＥＳＲ    シリンダーロッド
ＥＳＰ    加圧板
ＥＧＰ    ゴム板
ＥＳＳ    スプリング
ＭＳＷ    主スイッチ
ＮＳＷ    近接スイッチ
ＳＷＢ    操作棒
ＳＷＢＳ    作動部
ＭＧ    磁石
ＷＬ１    発光灯
ＷＬ２    警告ランプ
ＬＳＷ    スライドスイッチ
１    メダル供給ライン
１１    メダル取り込み器
２    メダル補給路
２１    補給ノズル
２１０    傾斜部（基端部）
２１１    挿入部分
２１２    ノズル口
２１３    取付基端部
２２    拡径補給部
２３    フレキシブル補給部
２４    受圧板
３    位置規制枠体
３１    左面板
３２    右面板
３３    背面板
３４    底面板
３４１    皿ネジ孔
３５    開口部
３６    木ネジ
４    支持構造体
４１    主柱
４１１    係止孔
４１２    目盛
４１３    ネジ
４２    上下カーソル
４２１    係止爪
４２２    爪
４２３    スプリング
４２４    枢支軸
４２５    軸受部
４２６    スライド溝
４２７    抜止め防止板
４２８    ネジ
５    水平部材
５１    折曲片
５２    スリット孔
５２１    ネジ
５３    板バネ材
６    スライド台
６１    スライド溝
６１１    ネジ
６２    バネ板
６２１    ネジ
６４    取付ベース
６４１    左部材
６４２    右部材
６４３    ネジ
６４４    ネジ
６４１１，６４２１    係合面
１００    従来のノズル固定板
【図１】
2019115574.tif 000003
【図２】
2019115574.tif 000004
【図３】
2019115574.tif 000005
【図４】
2019115574.tif 000006
【図５】
2019115574.tif 000007
【図６】
2019115574.tif 000008
【図７】
2019115574.tif 000009
【図８】
2019115574.tif 000010
【図９】
2019115574.tif 000011
【図１０】
2019115574.tif 000012
【図１１】
2019115574.tif 000013
【図１２】
2019115574.tif 000014
【図１３】
2019115574.tif 000015
【図１４】
2019115574.tif 000016
【図１５】
2019115574.tif 000017
【図１６】
2019115574.tif 000018
【図１７】
2019115574.tif 000019
【図１８】
2019115574.tif 000020
【図１９】
2019115574.tif 000021
【図２０】
2019115574.tif 000022
【図２１】
2019115574.tif 000023
【図２２】
2019115574.tif 000024
【図２３】
2019115574.tif 000025
【図２４】
2019115574.tif 000026
【図２５】
2019115574.tif 000027
【図２６】
2019115574.tif 000028
【図２７】
2019115574.tif 000029
【図２８】
2019115574.tif 000030
【図２９】
2019115574.tif 000031
【図３０】
2019115574.tif 000032
【図３１】
2019115574.tif 000033
【図３２】
2019115574.tif 000034
【図３３】
2019115574.tif 000035
【図３４】
2019115574.tif 000036
【図３５】
2019115574.tif 000037
【図３６】
2019115574.tif 000038
【図３７】
2019115574.tif 000039
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のケーシングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のケーシングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備えた遊技機のメダル補給路との接続構造に於いて、
前記固定手段は設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する構造である、遊技機のメダル補給路との接続構造。
【請求項２】
前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、請求項１記載の遊技機のメダル補給路との接続構造。
【請求項３】
前記固定構造体が、設置された遊技機へメダルを補給するメダル補給路とその先端の補給ノズルとを保持し且つ設置された遊技機の後方で設置台に固設されたメダル補給路の前記支持構造体であり、又前記取付部は同支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、請求項１記載の遊技機のメダル補給路との接続構造。
【請求項４】
前記取付部の取付部位が、前記固定構造体に連結支持された左右に長い水平張出面を有し、同取付部位の水平張出面に垂直にねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、前記ねじ軸の下部拡巾部の下端が制動パットの剛性ある取付板の上面を加圧できるようにし、又前記ねじ軸の上端に前記ねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、請求項１〜３いずれか記載の遊技機のメダル補給路との接続構造。
【請求項５】
前記制動パットが、左右に長い剛性ある取付板の上方に前記ねじ軸を貫通させるねじ孔を設け且つ同ねじ孔によって前記ねじ軸の下端の下端拡巾部を係止して取付板を吊止する門型係止部を設け、又同取付板の下面にゴム層を摩擦面として接合した構造であり、前記昇降機構は取付部の取付部位の水平張出面に螺合された下端拡巾部を有する複数の前記ねじ軸と，制動パットの複数の前記門型係止部と，前記ねじ軸の軸頭の操作部とから構成される、請求項４記載の遊技機のメダル補給路との接続構造。
【手続補正２】
【補正対象書類名】明細書
【補正対象項目名】０００９
【補正方法】変更
【補正の内容】
【０００９】
かかる課題を解決した本発明の構成は、
１）  設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のケーシングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のケーシングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備えた遊技機のメダル補給路との接続構造に於いて、
前記固定手段は設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する構造である、遊技機のメダル補給路との接続構造
２）  前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、前記１）記載の遊技機のメダル補給路との接続構造
３）  前記固定構造体が、設置された遊技機へメダルを補給するメダル補給路とその先端の補給ノズルとを保持し且つ設置された遊技機の後方で設置台に固設されたメダル補給路の前記支持構造体であり、又前記取付部は同支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、前記１）記載の遊技機のメダル補給路との接続構造
４）  前記取付部の取付部位が、前記固定構造体に連結支持された左右に長い水平張出面を有し、同取付部位の水平張出面に垂直にねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、前記ねじ軸の下部拡巾部の下端が制動パットの剛性ある取付板の上面を加圧できるようにし、又前記ねじ軸の上端に前記ねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、前記１）〜３）いずれか記載の遊技機のメダル補給路との接続構造
５）  前記制動パットが、左右に長い剛性ある取付板の上方に前記ねじ軸を貫通させるねじ孔を設け且つ同ねじ孔によって前記ねじ軸の下端の下端拡巾部を係止して取付板を吊止する門型係止部を設け、又同取付板の下面にゴム層を摩擦面として接合した構造であり、前記昇降機構は取付部の取付部位の水平張出面に螺合された下端拡巾部を有する複数の前記ねじ軸と，制動パットの複数の前記門型係止部と，前記ねじ軸の軸頭の操作部とから構成される、前記４）記載の遊技機のメダル補給路との接続構造
にある。